(57)【要約】【課題】構造上２つに分離されたユニット間の画データ等の送受をケーブルで行うことなく実現できる画像読取記録装置を提供する。【解決手段】原稿読取部１を備えるスキャナユニットＡ１と、プリンタ２２を備える本体ユニットＢ１とが別体構造となっており、スキャナユニットＡ１は、原稿読取部１で出力される画データを、赤外線データ通信方式を用いて本体ユニットＢ１にシリアル伝送する。【選択図】図１
2004096598.tif 000002
【特許請求の範囲】
【請求項１】
原稿読取部を備えるスキャナユニットと、プリンタを備える本体ユニットとが別体の画像読取記録装置であって、
上記スキャナユニットは、上記原稿読取部で出力される画データを、赤外線データ通信方式を用いて上記本体ユニットにシリアル伝送することを特徴とする、画像読取記録装置。
【請求項２】
請求項１において、
上記スキャナユニットは、上記画データに先立ち、所定の開始信号を伝送することを特徴とする、画像読取記録装置。
【請求項３】
請求項１または２において、
上記スキャナユニットは、画データ以外の制御信号を上記本体ユニットに赤外線データ通信方式でシリアル伝送することを特徴とする、画像読取記録装置。
【請求項４】
請求項１〜３のいずれかにおいて、
上記本体ユニットは、制御信号を上記スキャナユニットに赤外線データ通信方式でシリアル伝送することを特徴とする、画像読取記録装置。
【発明の詳細な説明】
【０００１】
【発明の属する技術分野】
本発明は、スキャナユニットと本体ユニットとが構造上別体の画像読取記録装置の改良に関する。
【０００２】
【従来の技術】
従来のファクシミリ装置や複写機には、原稿読取部を備えたスキャナユニットと印字部を備えた本体ユニットとが、構造上分離しているものがある。
【０００３】
この種の画像読取記録装置は、ユニット間で画データや制御信号の送受を行うために、両ユニット間がハーネス等のケーブルで接続されている。
【０００４】
図６には、この種の画像読取記録装置の接続部の概略構成を示している。図示するように、両者は複数本のハーネスで接続されている。
【０００５】
図７には、ハーネスで接続された構成の画像読取記録装置のブロック図を示している。画データを伝送するためのハーネスとして、３本のハーネスが確保され、各ハーネスに画データ取込用トリガ信号（ストローブパルス信号（ＳＴＢ））と、ユニット間の同期用クロック信号（ＣＬＫ）と、２値化された画データ（ＤＡＴＡ）とが、それぞれシリアル伝送される。
【０００６】
図８には、画データの伝送処理時におけるＳＴＢ、ＣＬＫ、ＤＡＴＡ各信号のタイムチャートを示している。２値化された画データ（ＤＡＴＡ）は、ストローブパルス信号（ＳＴＢ）の立ち上がりをトリガとして、クロック信号（ＣＬＫ）に同期して伝送される。
【０００７】
ところで、ハーネスで画データや制御信号などの高周波信号を伝送すると、電磁波障害（ＥＭＩ）やクロストークの原因となることがあり、近接するハーネスや周辺の機器等への悪影響を及ぼすことがある。ケーブルの上流側にフィルタを設けるなどして障害波を除去する工夫がなされているものもあるが、ケーブル接続の手間や美感の問題もあり、ケーブルを必要としない画像読取記録装置の開発が望まれていた。
【０００８】
なお、分離されたファクシミリ操作部と本体部との間の通信を赤外線で行うファクシミリ装置が、実開平５−８２１５８号公報に記載されている（特許文献１参照）。
【０００９】
【特許文献１】
実開平５−８２１５８号公報
【００１０】
【発明が解決しようとする課題】
本発明は、このような問題を解決すべくなされたもので、その目的は、構造上分離された複数ユニット間の画データ等の送受をケーブル接続することなく実現できる画像読取記録装置を提供することにある。
【００１１】
【課題を解決するための手段】
上記目的を達成するために、請求項１に記載の画像読取記録装置は、原稿読取部を備えるスキャナユニットと、プリンタを備える本体ユニットとが別体構造となっており、スキャナユニットは、原稿読取部で出力される画データを、赤外線データ通信方式を用いて本体ユニットにシリアル伝送することを特徴とする。
【００１２】
すなわち、高周波信号である画データを伝送するためのハーネスを必要とせず、その結果、電磁ノイズの発生を抑えることができる。
【００１３】
請求項２では、スキャナユニットは、画データに先立ち、所定の開始信号を伝送することを特徴とする。
【００１４】
請求項３では、スキャナユニットは、画データ以外の制御信号を本体ユニットに赤外線データ通信方式でシリアル伝送することを特徴とする。
【００１５】
請求項４では、本体ユニットは、制御信号を上記スキャナユニットに赤外線データ通信方式でシリアル伝送することを特徴とする。
【００１６】
【発明の実施の形態】
以下に、本発明の実施の形態について図面とともに説明する。
【００１７】
図１は、本発明の画像読取記録装置の接続部の一例を示す概略構成図である。
【００１８】
本発明の画像読取記録装置Ｆ１は、スキャナユニットＡ１と本体ユニットＢ１とに分離された構造となっており、スキャナユニットＡ１側に発光素子ａ１を、本体ユニットＢ１側に受光素子ｂ１を設け、スキャナユニットＡ１で読み取った画データを赤外線データ通信方式で本体ユニットＢ１に伝送する構成としている。なお、発光素子ａ１と受光素子ｂ１とは、スキャナユニットＡ１を本体ユニットＢ１に装着したときに相互に対向する位置に設けている。
【００１９】
具体的には、両ユニット間のインターフェースを、最大データ転送速度などを定めたＩｒＤＡ（Ｉｎｆｒａｒｅｄ　Ｄａｔａ　Ａｓｓｏｃｉａｔｉｏｎ）規格にもとづく通信方式としている。
【００２０】
なお、その他の制御信号、たとえばスキャナユニットＡ１に設けられた操作パネルからの命令信号やスキャナユニットＡ１に設けた各種センサからに出力などの信号は、制御信号用ハーネスＨで伝送される。
【００２１】
図２は、本発明の画像読取記録装置Ｆ１の要部構成と複写動作時のデータの流れを示す図である。
【００２２】
スキャナユニットＡ１は、光電変換素子（ＣＣＤ）を含む原稿読取部１と、画処理部２と、発光素子ａ１とを含んで構成されている。また、本体ユニットＢ１は、ＣＰＵ１１と、ＲＯＭ１２と、ＲＡＭ１３と、画像メモリ１４と、モデム１５と、ＮＣＵ１６と、ＬＡＮインターフェース１７と、ＣＯＤＥＣ１８と、画処理部１９と、ＲＡＭ１３内に領域確保された画像バッファ用のページメモリ２０と、プリンタコントローラ２１と、プリンタ２２とを備えている。
【００２３】
本実施形態の画像読取記録装置Ｆ１は、ファクシミリ送信機能と、ファクシミリ受信機能と、コピー機能と、プリンタ機能とを有する。
【００２４】
本発明では、ファクシミリ送信機能やコピー機能において、読み取った原稿の画データの処理に特徴を有しており、以下に画データ処理の流れについて説明する。
【００２５】
コピー機能では、原稿読取部１で読み取った画像は、画処理部２で２値化した画データに変換され、発光素子ａ１から赤外線データで本体ユニットＢ１側にシリアル伝送される。受光素子ｂ１で受信した画データは、ページメモリ２０に格納され、ＣＯＤＥＣ１８で符号化された後、画像メモリ１４に記憶される（図２の▲１▼〜▲３▼）。
【００２６】
次に、画データは画像メモリ１４から取り出され、ＣＯＤＥＣ１８で復号化された後、プリンタコントローラ２１を介してプリンタ２２に送られた後、プリンタ２２によって記録紙に印字される（図２の▲４▼〜▲９▼）。
【００２７】
ファクシミリ送信機能では、原稿読取部１で読み取った画像は、上記コピー機能と同様の処理の流れで画像メモリ１４に記憶され（図２の▲１▼〜▲３▼）、その後、モデム１５およびＮＣＵ１６を介して、他のファクシミリ装置に送信される。
【００２８】
なお、スキャナユニットＡ１と本体ユニットＢ１との間の制御信号の伝送は、制御信号用ハーネスＨによって行われる。
【００２９】
また、両ユニットＡ１、Ｂ１への電力供給は、スキャナユニットＡ１と本体ユニットＢ１とをケーブルで接続して、本体ユニットＢ１に対して電源接続する構成でもよいし、コンセントから個別に行う構成であってもよい。
【００３０】
以上のように、読み取った原稿の画データを赤外線データに変換して伝送しているので、ユニット間を画データ伝送用のハーネスで接続する必要がない。その結果、高周波信号である画データを伝送するときに電磁ノイズが発生することがなく、ＥＭＩやクロストークの不具合を抑制することができる。
【００３１】
また、ハーネスケーブルを必要としないので、組み付け性も良好となるとともに、美感が向上する。
【００３２】
図３には、赤外線でシリアル伝送される画データのデータ形式を示している。
【００３３】
赤外線伝送データは、画データ取込用の開始信号部Ｎと、２値化された画データ部Ｍとで構成される。開始信号部Ｎは、発光素子ａ１、受光素子ｂ１間で同期をとるために予め定義されたヘッダ部であり、例えば画データとして伝送される可能性のないビットデータ列で予め準備されたものが使用される。なお、ＩｒＤＡ規格では、送受信間で同期をとっているため、スキャナユニットＡ１から本体ユニットＢ１にクロック信号を送る必要はない。
【００３４】
次に、本発明の他の実施形態について説明する。
【００３５】
図４は、本発明の画像読取記録装置の接続部の他例を示す概略構成図である。
【００３６】
この画像読取記録装置Ｆ２は、スキャナユニットＡ２と本体ユニットＢ２とに分離された構造となっており、スキャナユニットＡ２に発光素子ａ１を、本体ユニットＢ１に受光素子ｂ１を設け、画データを赤外線データ通信方式で伝送するほか、スキャナユニットＡ２から本体ユニットＢ２への制御信号や、本体ユニットＢ２からスキャナユニットＡ２への制御信号も、赤外線データとして伝送する構成としている。
【００３７】
ここで、制御信号には、例えばチップセレクタ信号などのハードウェア制御信号や、ＬＣＤの表示制御信号、操作キーからの命令信号などが含まれる。
【００３８】
これらの制御信号を赤外線伝送するために、画データ伝送用の発光素子ａ１、受光素子ｂ１のほかに、スキャナユニットＡ２から本体ユニットＢ２への制御信号用伝送用の発光素子ａ２、受光素子ｂ２と、本体ユニットＢ２からスキャナユニットＡ２への制御信号伝送用の発光素子ａ３、受光素子ｂ３とを備えている。
【００３９】
また、双方向の制御信号を赤外線データでシリアルに伝送するために、図５に示すように、スキャナユニットＡ２はパラレルシリアル変換部３を、本体ユニットＢ２もパラレルシリアル変換部２３を備えている。
【００４０】
なお、原稿読取後の画データ流れは図２の実施形態と同様であるため、説明を省略する。
【００４１】
この画像読取記録装置Ｆ２によれば、すべての制御信号を赤外線伝送しているため、ハーネスをまったく使用する必要がなく、組み付け性が良好であるとともに、美感を向上させることができる。
【００４２】
【発明の効果】
以上の説明からも理解できるように、請求項１に記載の画像読取記録装置は、原稿読取部で出力された画データを赤外線データ通信方式で本体ユニットに伝送しているので、ハーネスによる電磁ノイズが発生することがなく、ＥＭＩやクロストークの不具合を抑制することができる。
【００４３】
また請求項２では、赤外線伝送において画データごとに開始信号を先頭に設けて伝送しているので、ユニット間で容易に同期をとることができる。
【００４４】
請求項３、４では、スキャナユニット、本体ユニット間のそれぞれの方向の制御信号を赤外線で伝送しているので、さらに電磁ノイズの発生を抑えることができる。
【００４５】
また、すべての信号を赤外線で伝送すれば、ハーネスをすべて取り除くことができ、組み付け性がさらに良好となるとともに、美感も向上する。
【図面の簡単な説明】
【図１】本発明の画像読取記録装置の接続部の一例を示す概略構成図である。
【図２】本発明の画像読取記録装置の要部構成と複写動作時のデータの流れを示す図である。
【図３】赤外線でシリアル伝送される画データのデータ形式を示す図である。
【図４】本発明の画像読取記録装置の接続部の他例を示す概略構成図である。
【図５】本発明の画像読取記録装置の他例の要部構成と複写動作時のデータの流れを示す図である。
【図６】従来の画像読取記録装置の接続部の概略構成図である。
【図７】従来の画像読取記録装置のブロック図である。
【図８】従来の画像読取記録装置におけるハーネスを伝送される信号のタイムチャートである。
【符号の説明】
Ｆ１、Ｆ２・・・画像読取記録装置
Ａ１、Ａ２・・・スキャナユニット
Ｂ１、Ｂ２・・・本体ユニット
ａ１、ａ２、ａ３・・・発光素子
ｂ１、ｂ２、ｂ３・・・受光素子
２２・・・プリンタ
３、２３・・・パラレルシリアル変換部
【図１】
2004096598.tif 000003
【図２】
2004096598.tif 000004
【図３】
2004096598.tif 000005
【図４】
2004096598.tif 000006
【図５】
2004096598.tif 000007
【図６】
2004096598.tif 000008
【図７】
2004096598.tif 000009
【図８】
2004096598.tif 000010